(57)【要約】【課題】膨張と収縮を繰り返す袋体を壁に対して確実に固定できる袋体の固定構造を提供する。【解決手段】膨張と収縮を行う袋体２を壁１ａに固定する構造おいて、袋体２は、膨張した状態で少なくとも１つのくびれ部Ｂを有する構造を備えている。当該固定構造においては、袋体２と壁１ａとの固定箇所が、袋体２が膨張した状態において形成される膨らみの頂部Ｐ１、Ｐ２の近傍に設けられている。【選択図】図４
2015211057.tif 000002
【特許請求の範囲】
【請求項１】
膨張と収縮を行う袋体を壁に固定する構造であって、
前記袋体は、膨張した状態において少なくとも１つのくびれ部を有する構造を備え、
前記袋体と前記壁との固定箇所が、前記袋体が膨張した状態において形成される膨らみの頂部近傍に設けられていることを特徴とする袋体の固定構造。
【請求項２】
前記袋体は、密閉構造を備える容器に連結されることを特徴とする請求項１に記載の袋体の固定構造。
【請求項３】
前記容器は、電気部品を収容するボックスであることを特徴とする請求項２に記載の袋体の固定構造。
【請求項４】
前記壁は、前記容器の外壁であることを特徴とする請求項２又は３に記載の袋体の固定構造。
【請求項５】
前記袋体と前記壁との固定に面ファスナーが用いられることを特徴とする請求項１から４のいずれかに記載の袋体の固定構造。
【請求項６】
請求項１から５のいずれかに記載の袋体の固定構造を備えることを特徴とする入浴装置。
【発明の詳細な説明】
【技術分野】
【０００１】
本発明は、例えば環境変動等によって膨張と収縮を行う袋体の固定構造に関する。また、本発明は、そのような袋体の固定構造を備えた入浴装置に関する。
【背景技術】
【０００２】
従来、体が不自由で介助が必要な者（以下、要介助者）を入浴させるための様々な入浴装置が開発されている。このような入浴装置は、要介助者が快適に入浴できるように、電気的に駆動される部分を備えるのが一般的である。このために、入浴装置には、一般的に、例えば制御用のスイッチ類等の電気部品が収容されるリレーボックスが備えられている（例えば特許文献１や２参照）。
【先行技術文献】
【特許文献】
【０００３】
【特許文献１】特開２００６−１８１２２３号公報
【特許文献２】特開平１０−３３６２４号公報
【発明の概要】
【発明が解決しようとする課題】
【０００４】
ところで、入浴装置に備えられるリレーボックスは、湿気の多い環境に配置されることになる。このために、入浴装置に備えられるリレーボックスは、水分がその内部に浸入してショート等の不具合が発生しないように密閉構造とされるのが一般的である。しかしながら、入浴装置が配置される浴室は、寒暖の差が激しいことが多く、リレーボックス内の空気は膨張と収縮とを繰り返し易い。換言すると、入浴装置に備えられるリレーボックスは、その内圧の変動が生じ易い。この内圧の変動が原因の一つとなって、密閉構造を採用しているにもかかわらず、僅かな隙間を通ってリレーボックスの内部に水分が浸入することがある。
【０００５】
このような経緯から、本出願人は、リレーボックスに体積変動可能な袋体（以下、当該袋体のことをブリーザーと記載する）を連結する構造を採用している。ブリーザーが浴室の温度変化に応じて膨らんだり（膨張したり）、萎んだり（収縮したり）することによって、リレーボックスの内圧の変動を抑制することができる。ブリーザーは、リレーボックスの壁面や、入浴装置を構成する他の部材の壁面に固定される。ブリーザーを固定するのは、ブリーザーが自由に動ける構造を採用すると、例えば入浴装置の可動部分にブリーザーが接触したり挟まったりして、ブリーザーが破裂する可能性があることを考慮するものである。
【０００６】
ブリーザーの固定構造として、これまで図７（模式的な断面図）に示すような構造が採用されている。なお、図７は、ブリーザー１００が膨張していない状態を想定した図である。図７に示す固定構造では、ブリーザー１００は、その両端部近傍、及び、当該両端部に挟まれる中央部近傍の、計３箇所が面ファスナー１０１を利用して壁１０２に固定されている。
【０００７】
例えば浴室の温度が上がると、ブリーザー１００は膨張して丸みを持った形状に変化する。このために、ブリーザー１００の両端部側においては、ブリーザー１００と壁１０２とを引き離そうとする大きな力が加わる。この結果、図８（模式的な断面図）に示すように、ブリーザー１００の両端部側において面ファスナー１０１の剥がれが生じ易くなる。なお、面ファスナー１０１が設けられる中央部は、膨らみの頂部Ｐと略一致しているために、ブリーザー１００と壁１０２とを引き離そうとする力が殆ど加わらない。このため、当該中央部においては、ブリーザー１００が膨張しても、当該膨張のみを理由として面ファスナー１０１が剥がれ易くなることはない。
【０００８】
上述の説明からわかるように、図７及び図８に示すブリーザーの固定構造では、ブリーザー１００が萎んだ状態から膨らんだ状態になることによって、固定箇所が減少してしまう可能性が高い。このために、ブリーザー１００の固定が不安定であり、ブリーザー１００の壁１０２に対する固定が外れ易く、入浴装置の可動部とブリーザー１００とが接触等を起して、ブリーザー１００が破裂することがあった。
【０００９】
以上の点に鑑みて、本発明の目的は、膨張と収縮を繰り返す袋体を壁に対して確実に固定できる袋体の固定構造を提供することである。また、本発明の他の目的は、そのような袋体の固定構造を備えることにより、不具合が発生し難い入浴装置を提供することである。
【課題を解決するための手段】
【００１０】
上記目的を達成するために本発明の袋体の固定構造は、膨張と収縮を行う袋体を壁に固定する構造であって、前記袋体は、膨張した状態において少なくとも１つのくびれ部を有する構造を備え、前記袋体と前記壁との固定箇所が、前記袋体が膨張した状態において形成される膨らみの頂部近傍に設けられている構成（第１の構成）になっている。
【００１１】
本構成によれば、袋体が膨張した状態においてくびれ部を有する構造になっているために、複数の膨らみの頂部を壁に向けた状態として、当該壁に袋体を固定できる。そして、本構成において袋体と壁との固定箇所とされる膨らみの頂部近傍は、袋体が膨張した場合においても袋体を壁から引き離す力が加わり難いために、袋体と壁との固定が外れ難い。したがって、本構成の袋体の固定構造によれば、袋体の膨張と収縮にもかかわらず、袋体と壁とを安定して複数箇所で固定することができ、袋体の壁に対する固定を確実なものにできる。
【００１２】
上記第１の構成の袋体の固定構造において、前記袋体は、密閉構造を備える容器に連結される構成（第２の構成）であるのが好ましい。本構成によれば、袋体は、容器が置かれる環境の温度変化によって膨張と収縮を繰り返すことになる。このような場合でも、袋体は壁に確実に固定される。
【００１３】
上記第２の構成の袋体の固定構造において、前記容器は電気部品を収容するボックスである構成（第３の構成）であってよい。本構成では、袋体が破裂した結果、電気部品を収容するボックス内に水分が浸入するという事態が発生する可能性を低くできるために、電気部品が故障する可能性が低い。
【００１４】
上記第２又は第３の構成の袋体の固定構造において、前記壁は前記容器の外壁である構成（第４の構成）であってよい。本構成によれば、袋体を容器に連結する構造をシンプルな構造にしやすい。
【００１５】
上記第１から第４のいずれかの構成の袋体の固定構造において、前記袋体と前記壁との固定に面ファスナーが用いられる構成（第５の構成）を採用するのが好ましい。本構成によれば、袋体と壁との固定をしっかりしたものにしつつ、必要に応じて、袋体を壁から取り外し易いので便利である。
【００１６】
上記目的を達成するために本発明の入浴装置は、上記第１から第５のいずれかの構成の袋体の固定構造を備える構成（第６の構成）になっている。
【００１７】
本構成によれば、袋体の壁に対する固定が外れて、袋体が入浴装置の可動部に接触したり挟まれたりする可能性が低く、不具合の生じ難い入浴装置を提供できる。  
【発明の効果】
【００１８】
本発明によれば、膨張と収縮を繰り返す袋体を壁に対して確実に固定できる袋体の固定構造を提供できる。また、本発明によれば、そのような袋体の固定構造を備えることにより、不具合が発生し難い入浴装置を提供できる。
【図面の簡単な説明】
【００１９】
【図１】本発明の実施形態に係る入浴装置の概略上面図
【図２】本発明の実施形態に係る入浴装置の概略側面図
【図３】本発明の実施形態に係る入浴装置が備えるリレーボックス模式的に示し側面図
【図４】本発明の実施形態に係る入浴装置が備えるブリーザーが膨張した状態を示す模式図で、図３のＡ−Ａ位置で切った断面図
【図５】本発明の実施形態に係る入浴装置が備えるブリーザーの構成を模式的に示した上面図
【図６】本発明の実施形態に係る入浴装置が備えるブリーザーの変形例を説明するための図
【図７】従来の、ブリーザーの壁への固定構造を説明するための模式図で、ブリーザーが膨張していない状態を示す図
【図８】従来の、ブリーザーの壁への固定構造を説明するための模式図で、ブリーザーが膨張した状態を示す図
【発明を実施するための形態】
【００２０】
以下、本発明の実施形態に係る、袋体の固定構造と、当該袋体の固定構造を備えた入浴装置とについて、図面を参照しながら詳細に説明する。
【００２１】
まず、本発明の実施形態に係る入浴装置（本発明の袋体の固定構造を備える）の構成について簡単に説明しておく。なお、本実施形態の入浴装置は、要介助者を仰臥位で入浴させる装置であるが、本発明の適用範囲はこれに限定されず、本発明は、例えば要介助者を座位で入浴させる入浴装置等に適用されても勿論構わない。図１は、本発明の実施形態に係る入浴装置１０の概略上面図である。図２は、本発明の実施形態に係る入浴装置１０の概略側面図である。
【００２２】
図１及び図２に示すように、入浴装置１０は、床Ｆ上に固定された架台１１と、この架台１１に対して昇降可能に設置された浴槽１２とを備えている。浴槽１２が昇降可能であることをイメージし易い用に、図２においては、浴槽１２が下がった状態が実線で示され、浴槽１２が上がった状態が二点鎖線で示されている。なお、浴槽１２が上がった状態の図は、浴槽１２の一部（上部）のみを示したものになっている。
【００２３】
架台１１の略中央部には、円筒状の支柱１３が立設されている（図２参照；図２おいて、支柱１３は本来見えないために破線で示されている）。この支柱１３は、浴槽１２の底壁を液密に貫通している。浴槽１２は、電力によって駆動される不図示の昇降機構によって、支柱１３に沿って自動的に昇降可能になっている。なお、浴槽１２を昇降させる昇降機構は、特に限定されるものではないが、例えば電動機を利用して作動する油圧装置（油圧シリンダやポンプを含む）によって構成されてよい。
【００２４】
支柱１３の上端には、上面視略矩形状の支持台１４が水平になるように固定されている。支持台１４の長手方向（図１及び図２において左右方向）の両端部には、それぞれ、浴槽１２の幅方向（図１において上下方向、図２において紙面と垂直な方向）に水平に延びるガイドレール１５が設けられている。一対のガイドレール１５、１５は、互いに同一の高さ位置に、平行となるように配置されている。
【００２５】
支持台１４の略中央部には、同じ高さ位置に間隔を空けて平行配置される、２本のガイドロッド１６が配置されている。各ガイドロッド１６は、ガイドレール１５と平行な方向に延びるように設けられている。各ガイドロッド１６には、ガイドロッド１６に沿って摺動する摺動部１７が取り付けられている。各摺動部１７は、２本のガイドロッド１６の間に挟まれるように配置される平面視略矩形状のスライド部１８に取り付けられている。このために、摺動部１７とスライド部１８とは一緒に動く。
【００２６】
なお、摺動部１７及びスライド部１８は、電力によって駆動される不図示の水平移動機構によって自動的に移動可能になっている。この水平移動機構は、特に限定されるものではないが、例えば電動機を利用して駆動されるものであってよい。
【００２７】
架台１１の長手方向に略平行な側面の一方には、浴槽１２の側面に横付けされるストレッチャー（不図示）を所定の位置に位置決めするための一対の位置決めガイド部１９、１９が、長手方向に所定の間隔をあけて配置されている。また、浴槽１２の上面の長手方向の一端部には、例えば介助者が入浴装置１０に対して指示を入力するための操作部２０が設けられている。
【００２８】
ここで、上述した入浴装置１０を使用して要介助者を入浴させる際の入浴フロー例について、簡単に説明しておく。
【００２９】
まず、要介助者（入浴者）を載せたストレッチャー（不図示）が、入浴装置１０の側面に横付けされる。この際、介助者は、入浴装置１０の側面に設けられた位置決めガイド部２０を利用して、ストレッチャーを入浴装置１０横の所定の位置に配置する。
【００３０】
次に、介助者は、入浴装置１０の操作部２０を操作して水平移動機構（不図示）を動作させ、スライド部１８を入浴位置Ｘ１（実線で示す）から乗換位置Ｘ２（破線で示す）に移動させる（図１参照）。スライド部１８を乗換位置Ｘ２にした後、介助者が、要介助者を載せた担架部Ｔを入浴装置１０側へと押し出す。これにより、担架部Ｔは、その下面に設けられたコロＷによってガイドレール１５に沿って移動し、ストレッチャーから入浴装置１０へと移る。
【００３１】
担架部Ｔが、所定の位置まで移動すると、担架部Ｔがスライド部１８に対してロックされた状態となる。介助者は、このロック状態を確認して、入浴装置１０の操作部２０を操作して水平移動機構を動作させてスライド部１８を入浴位置Ｘ１に戻し、担架Ｔに載った要介助者を入浴可能な位置に配置する。
【００３２】
スライド部１８が入浴位置Ｘ１に移動された後、介助者は、入浴装置１０の操作部２０を操作して浴槽１２を支柱１３に沿って上昇させる。浴槽１２の上昇により、担架Ｔに載った要介助者を浴槽１２内に配置できる。この状態で、介助者が操作部２０を操作して浴槽１２内に適温の湯を供給することによって、要介助者を湯に浸からせることができる。なお、浴槽１２内の湯は、浴槽１２を上昇させる前に溜めておいても勿論よい。また、要介助者の入浴が済むと、以上と逆の操作が行われ、要介助者は入浴装置１０からストレッチャーへと移乗される。
【００３３】
以上に説明したように、入浴装置１０は、電気的に駆動する機構を備えている。そして、これに付随して、入浴装置１には、制御用のスイッチ類等の電気部品が収容されるリレーボックスが備えられている。リレーボックスは、例えば操作部２０の下部側（詳細には架台１１等）に固定配置される。
【００３４】
図３は、本発明の実施形態に係る入浴装置１０が備えるリレーボックス１を模式的に示し側面図である。リレーボックス１は、内部に水分が浸入しないように密閉構造を備えている。密閉構造は、公知の技術を利用して得ればよく、例えばシールリング等を用いて実現されてよい。このリレーボックス１は、本発明の容器の一例である。
【００３５】
また、リレーボックス１には、例えば入浴装置１０が設置される浴室の温度変化にかかわらず、その内圧が一定に維持される（内圧の変動が抑制される）ように、連結管３を介してブリーザー２が取り付けられている。ブリーザー２を設けてリレーボックス１の内圧を維持する目的は、リレーボックス１内への水分の浸入を極力防ぐことにある。
【００３６】
なお、ブリーザー２は、例えば樹脂等によって形成される袋体であり、膨張した状態と、萎んだ状態とに変化可能（体積変化可能）である。このブリーザー２は、本発明の膨張と収縮を行う（繰り返す）袋体の一例である。また、連結管３は、例えば樹脂や金属等で形成されて良いが、柔軟性を備える樹脂で形成されるのが好ましい。連結管３と、リレーボックス１及びブリーザー２との接続部分は、気体が漏れないように気密構造とされている。
【００３７】
ブリーザー２が自由に動けると、上述のように浴槽１２が昇降可能に設けられているために、移動する浴槽１２とブリーザー２との接触等が原因となって、ブリーザー２が破裂する可能性がある。このような事態が生じないように、ブリーザー２は、リレーボックス１の外壁１ａに固定される。なお、本実施形態では、ブリーザー２をリレーボックス１の外壁１ａに固定しているが、ブリーザー２を固定する壁はリレーボックス１の外壁以外でも構わない。例えば、ブリーザー２は、架台１１が備える壁に固定されても構わない。
【００３８】
本実施形態においては、ブリーザー２は、面ファスナー４を利用してリレーボックス１の外壁１ａに固定されている。面ファスナー４が利用される場合、外壁１ａに対するブリーザー２の着脱が容易になって便利である。ただし、ブリーザー２をリレーボックス１の外壁１ａに固定する手段は、面ファスナーに限定されず、他の手段（例えば接着固定等）が利用されても構わない。
【００３９】
ところで、袋体であるブリーザー２を、単純に面ファスナー４を用いて固定すると、図７及び図８を用いて先に説明したように、ブリーザー２が膨張した状態になった場合に、ブリーザー２の外壁１ａへの固定が簡単に外れてしまう可能性がある。このため、本実施形態においては、ブリーザー２の外壁１ａへの固定構造に工夫が施されている。
【００４０】
図４は、本発明の実施形態に係る入浴装置１０が備えるブリーザー２が膨張した状態を示す模式図で、図３のＡ−Ａ位置で切った断面図である。また、図５は、本発明の実施形態に係る入浴装置１０が備えるブリーザー２の構成を模式的に示した上面図である。
【００４１】
図４に示すように、ブリーザー２は、膨張した状態において１つのくびれ部Ｂを有する構造になっている。くびれ部Ｂは、ブリーザー２の上片２ａと下片２ｂとを一部において接合することで得られている。くびれ部Ｂを形成するための接合箇所Ｃは、図５に示すように、ブリーザー２を略二等分する線Ｌと重なるように設けられている。接合箇所Ｃの両端部は、いずれもブリーザー２の端部まで到達しておらず、くびれ部Ｂを挟むように設けられる２つの部屋Ｒ１、Ｒ２は連通している。なお、くびれ部Ｂを形成するための接合箇所Ｃは、一例にすぎず、例えばそのサイズや位置等は適宜変更されてよい。
【００４２】
ブリーザー２は、１つのくびれ部Ｂを有するために、膨張した状態において、図４に示すように、リレーボックス１の外壁１ａと対向する面側に２つの膨らみの頂部Ｐ１、Ｐ２を有することになる。本実施形態では、これら２つの頂部Ｐ１、Ｐ２の近傍にブリーザー２とリレーボックス１の外壁１ａとを固定する固定箇所が形成されるように、面ファスナー４が配置されている。
【００４３】
このために、ブリーザー２が膨張した状態になっても、固定箇所においてブリーザー２と外壁１ａとを引き離す力がほとんど発生せず、いずれの固定箇所においても面ファスナー４の剥がれが生じ難い。なお、図５において破線で囲まれた部分は、面ファスナー４が配置される固定箇所に該当する。
【００４４】
図７及び図８に示すブリーザーの固定構造では、ブリーザー１００が膨張した状態において、壁１０２と対向する面側に１つの膨らみの頂部Ｐしか得られない。このために、ブリーザー１００が膨張した場合に、面ファスナー１０１の剥がれが生じ難い固定箇所が一箇所（中央部のみ）となる。
【００４５】
これに対し、本実施形態のブリーザーの固定構造においては、ブリーザー２が膨張した状態において、壁１ａと対向する面側に膨らみの頂部が複数（頂部Ｐ１、Ｐ２）形成される。このために、ブリーザー２が膨らんだ場合において、面ファスナー４の剥がれが生じ難い固定箇所が複数得られる。すなわち、本実施形態のブリーザー２の固定構造によれば、ブリーザー２が収縮している場合のみならず膨張している場合にも、安定してブリーザー２と外壁１ａとを固定できる固定箇所を複数得られる。このために、本実施形態のブリーザー２の固定構造によれば、ブリーザー２が膨張と収縮を繰り返しても、安定してブリーザー２を外壁１ａに固定できる。
【００４６】
以上に示した実施形態は、本発明の例示にすぎない。以上に示した実施形態の構成は、本発明の技術的思想を超えない範囲で適宜変更されて構わない。
【００４７】
例えば、以上に示した実施形態では、ブリーザー２の一部において、ブリーザー２の上片２ａと下片２ｂとを接合することによって、ブリーザー２が膨張した状態において、くびれ部Ｂが得られるように構成した。ただし、これは一例にすぎない。すなわち、図６に示すように、ブリーザー２が膨張した状態において形成されるくびれ部Ｂは、ブリーザー２の上片２ａと下片２ｂとが接合されることなく得られる構成でも構わない。
【００４８】
また、以上に示した実施形態では、ブリーザー２は、膨張した状態において１つのくびれ部Ｂを有する構成とした。ただし、これも一例に過ぎず、膨張した状態において、ブリーザーが有するくびれ部の数は複数であってもよい。くびれ部の数が増加される場合には、それに合わせて、ブリーザーを壁に固定する固定箇所の数を増やして構わない。
【００４９】
その他、本発明の袋体の固定構造は、膨張と収縮を行う袋体が連結される容器がリレーボックス以外の場合にも適用できる。また、本発明の袋体の固定構造は、以上で説明した入浴装置１０に限らず、上述したブリーザー２が適用される入浴装置に対して広く適用可能である。更に、本発明の袋体の固定構造は、入浴装置以外の装置に適用されても勿論構わない。
【符号の説明】
【００５０】
１  リレーボックス（容器）
１ａ  リレーボックスの外壁
２  ブリーザー（袋体）
４  面ファスナー
１０  入浴装置
Ｂ  くびれ部
Ｐ１、Ｐ２  膨らみの頂部
【図１】
2015211057.tif 000003
【図２】
2015211057.tif 000004
【図３】
2015211057.tif 000005
【図４】
2015211057.tif 000006
【図５】
2015211057.tif 000007
【図６】
2015211057.tif 000008
【図７】
2015211057.tif 000009
【図８】
2015211057.tif 000010